(57)【要約】      （修正有）【課題】回動操作部材の回動操作によって発生する衝突音や振動音を軽減することができる電子機器を提供する。【解決手段】電子機器は、カバー２０に組み付けられる回動操作部材５と、回動操作部材５と一体回動し、回動方向両側が開口する保持部１３ａを有するホルダ１３と、カバー２０のボス２０ａに嵌め込まれるコイル部９ａ、及びコイル部９ａから延出して保持部１３ａに対してホルダ１３の回動方向に挟むように掛止される一対の先端部９ｂ，９ｃを有し、回動操作部材５を初期位置へ戻すトーションばね９と、先端部９ｂ，９ｃに挟まれる位置で外装カバー２０に設けられ、回動操作部材５を位置決めする位置決め部２０ｂと、保持部１３ａに嵌め込まれ、回動操作部材５が初期位置に位置決めされた際に、先端部９ｂ，９ｃに挟み込まれて弾性変形する弾性部材１０と、を備える。弾性部材１０は、保持部１３ａに対して相対移動が可能に保持される。【選択図】図４
2012150157.tif 000002
【特許請求の範囲】
【請求項１】
機器本体に対して回動可能に組み付けられる回動操作部材と、
前記回動操作部材と一体に回動可能とされ、回動方向の両側が開口する保持部が設けられたレバーホルダと、
前記機器本体に固定されたボスに嵌め込まれるコイル部、及び前記コイル部から延出して前記保持部に対して前記レバーホルダの回動方向に挟むように掛止される一対の先端部を有し、前記回動操作部材を回動位置から初期位置へ戻すための力を発生させるトーションばねと、
前記トーションばねの前記一対の先端部に挟まれる位置で前記機器本体に固定され、前記回動操作部材を初期位置に位置決めする位置決め部と、
前記保持部の内部に嵌め込まれ、前記位置決め部により前記回動操作部材が初期位置に位置決めされた際に、前記トーションばねの前記一対の先端部に挟み込まれて弾性変形する弾性部材と、を備え、
前記弾性部材は、前記保持部に対して前記レバーホルダの回動方向に相対移動が可能に保持されることを特徴とする電子機器。
【請求項２】
前記トーションばねの前記一対の先端部は、前記回動操作部材が回動位置から前記初期位置へ戻る際に、前記位置決め部よりも先に前記弾性部材に当接し、前記弾性部材を弾性変形させてから前記位置決め部に当接することを特徴とする請求項１に記載の電子機器。
【請求項３】
前記トーションばねの前記一対の先端部を前記レバーホルダの前記保持部に掛止させることで、前記トーションばねと前記レバーホルダとを電気的に導通させることを特徴とする請求項１又は２に記載の電子機器。
【請求項４】
前記弾性部材は、前記保持部の内部で前記レバーホルダの回動軸方向に圧縮された状態で保持されることを特徴とする請求項１乃至３のいずれか一項に記載の電子機器。
【発明の詳細な説明】
【技術分野】
【０００１】
本発明は、デジタルカメラ等の電子機器に関し、特に所定の角度範囲内で回動操作が可能な回動操作部材を有する電子機器に関する。
【背景技術】
【０００２】
デジタルカメラ等の電子機器では、図８に示すように、回動操作によりズーム機構を作動させるズームレバー２０６の中央部に、レリーズボタン２０５を配置したものがある。
【０００３】
図９は、ズームレバー２０６等の取付部の構造を示す斜視図である。図９において、レバーホルダ２５６は、金属等の導電性部材で形成され、ズームレバー２０６にビス等で固定されて、ズームレバー２０６と一体に回動する。トーションばね２５４は、コイル部２５４ａが外装カバー２２０に設けられたボス２２０ａに嵌め込まれ、一対の先端部２５４ｂ，２５４ｃがホルダ２５６に設けられたＴ字引っ掛け部２５６ａに掛止される。
【０００４】
図１０（ａ）はズームレバー２０６が初期位置あるときの状態を示す図、図１０（ｂ）はズームレバー２０６が回動位置にあるときの状態を示す図である。なお、図１０（ｂ）の矢印Ａ方向は、ズームアウトの回動操作方向、矢印Ａの反対方向は、ズームインの回動操作方向である。
【０００５】
例えば、ズームアウト時にズームレバー２０６を図の矢印Ａ方向へ回動操作すると、ズームレバー２０６と一体に回動するレバーホルダ２５６のＴ字引っ掛け部２５６ａによりトーションばね２５４の先端部２５４ｃが矢印Ａ方向に引っ張られる。
【０００６】
この状態でズームレバー２０６から指を離すと、トーションばね２５４の先端部２５４ｃがばね力により外装カバー２２０に設けられた位置決めリブ２２０ｂまで戻り、ズームレバー２０６が初期位置に位置決めされる。
【０００７】
このような構造を用いて、特許文献１では、導電性のズームレバー２０６、レバーホルダ２５６、及びトーションばね２５４を電気的に導通させて、外装で発生した静電気を内部のグラントパターンへ逃がしている。
【先行技術文献】
【特許文献】
【０００８】
【特許文献１】特開２００８−２０３６３２号公報
【発明の概要】
【発明が解決しようとする課題】
【０００９】
しかし、上記従来の技術では、ズームレバー２０６がトーションばね２５４のばね力により回動位置から初期位置に戻る際、トーションばね２５４の先端部２５４ｃが位置決めリブ２２０ｂに衝突して衝突音が発生する。また、ズームレバー２０６がトーションばね２５４のばね力により回動位置から初期位置に戻る際、コイル部９ａが振動することによる振動音が発生する。そのため、例えば、動画撮影中にズーム操作が可能な電子機器の場合、ズームレバー２０６の衝突音や振動音といった操作音が録音されてしまうという問題もある。
【００１０】
そこで、本発明は、回動操作部材の回動操作によって発生する操作音を軽減することができる電子機器を提供することを目的とする。
【課題を解決するための手段】
【００１１】
上記目的を達成するために、本発明の電子機器は、機器本体に対して回動可能に組み付けられる回動操作部材と、前記回動操作部材と一体に回動可能とされ、回動方向の両側が開口する保持部が設けられたレバーホルダと、前記機器本体に固定されたボスに嵌め込まれるコイル部、及び前記コイル部から延出して前記保持部に対して前記レバーホルダの回動方向に挟むように掛止される一対の先端部を有し、前記回動操作部材を回動位置から初期位置へ戻すための力を発生させるトーションばねと、前記トーションばねの前記一対の先端部に挟まれる位置で前記機器本体に固定され、前記回動操作部材を初期位置に位置決めする位置決め部と、前記保持部の内部に嵌め込まれ、前記位置決め部により前記回動操作部材が初期位置に位置決めされた際に、前記トーションばねの前記一対の先端部に挟み込まれて弾性変形する弾性部材と、を備え、前記弾性部材は、前記保持部に対して前記レバーホルダの回動方向に相対移動が可能に保持されることを特徴とする。
【発明の効果】
【００１２】
本発明によれば、回動操作部材の回動操作によって発生する衝突音や振動音といった操作音を軽減することができる。
【図面の簡単な説明】
【００１３】
【図１】本発明の電子機器の実施形態の一例であるデジタルカメラを背面側から見た斜視図である。
【図２】トップカバーユニットの分解斜視図である。
【図３】（ａ）はレバーホルダの斜視図、（ｂ）はレバーホルダとトーションばねとの関係を示す斜視図である。
【図４】トップカバーユニットにおけるズームレバーの組付部分を内部側から見た斜視図である。
【図５】ズームレバーが初期位置にある状態を示す図である。
【図６】ズームレバーがテレ位置にある状態を示す図である。
【図７】ズームレバーがワイド位置にある状態を示す図である。
【図８】従来のズームレバーを説明するための斜視図である。
【図９】ズームレバー等の取付部の構造を示す斜視図である。
【図１０】（ａ）はズームレバーが初期位置あるときの状態を示す図、（ｂ）はズームレバーが回動位置にあるときの状態を示す図である。
【発明を実施するための形態】
【００１４】
以下、本発明の実施形態の一例を図面を参照して説明する。
【００１５】
図１は、本発明の電子機器の実施形態の一例であるデジタルカメラを背面側から見た斜視図である。
【００１６】
図１に示すように、本実施形態のデジタルカメラは、カメラ本体１の背面側に、液晶ディスプレイ等の表示部２が配置され、表示部２の右側には、操作ボタン群３ａ〜３ｅ、及びモード切替スイッチ４が配置されている。また、カメラ本体１の上面部には、レリーズボタン５、ズームレバー６、及び電源ボタン７が配置されている。
【００１７】
ズームレバー６、及び電源ボタン７の周囲を形成する外装カバーは、トップカバー２０とされ、トップカバー２０に、ズームレバー６及び電源ボタン７等の関連部品を組み込むことによって、トップカバーユニット３０を形成する。ここで、トップカバー２０は、本発明の外装カバーの一例に相当し、ズームレバー６は、本発明の回動操作部材の一例に相当する。
【００１８】
図２〜図４を参照して、トップカバーユニット３０について説明する。図２はトップカバーユニット３０の分解斜視図、図３（ａ）はレバーホルダ１３の斜視図、図３（ｂ）はレバーホルダ１３とトーションばね９との関係を示す斜視図、図４はトップカバーユニット３０におけるズームレバー６の組付部分を内部側から見た斜視図である。
【００１９】
まず、トップカバー２０の外側から組み付ける部品について説明すると、図２に示すように、レリーズボタン５は、押し軸５ａにコイルばね８がキートップに接触するように挿入された状態でズームレバー６に掛止される。レリーズボタン５が掛止されたズームレバー６は、トップカバー２０に外側から組み付けられる。
【００２０】
なお、トップカバー２０におけるズームレバー６の組付部分には、ズームレバー６の回動方向に長い円弧状の長穴２０ｃが周方向に互いに離間して３カ所形成されている。そして、ズームレバー６をトップカバー２０に組み付ける際には、各長穴２０ｃにズームレバー６の３つの位置決めピン６ａが挿入され、これにより、デジタルカメラの機器本体に対してズームレバー６の回動操作が可能になる。
【００２１】
次に、トップカバー２０の内側から組み付ける部品について説明する。電源ボタン７は、トップカバー２０に接着剤等を介して組み付けられる。トップカバー２０の内側には、長穴２０ｃからズームレバー６の位置決めピン６ａが突出しており、この突出部分には、レバーホルダ１３に形成された嵌合穴１３ｂが嵌合固定される。これにより、レバーホルダ１３がズームレバー６と一体に回動可能とされている。
【００２２】
また、レバーホルダ１３には、図２及び図３（ａ）に示すように、保持部１３ａが板金の曲げ成形等により一体に形成されている。
【００２３】
保持部１３ａは、レバーホルダ１３の外周部から回動軸方向に延びる外径壁１３ｃと、外径壁１３ｃの延出端から径方向内側に延びる天壁１３ｄと、天壁１３ｄの延出端から外径壁１３ｃと平行に延びて外径壁１３ｂと径方向に対向する内径壁１３ｅとを備える。外径壁１３ｃ及び内径壁１３ｅは、天壁１３ｂより幅狭とされている。
【００２４】
保持部１３ａは、レバーホルダ１３の回動方向の両側が開口しており、この開口部分から弾性部材１０が保持部１３ａの内部に嵌め込まれて保持される。かかる保持状態においては、弾性部材１０は、保持部１３ａに対してレバーホルダ１３の回動方向に相対移動が可能とされている。また、本実施形態では、弾性部材１０は、保持部１３ａ内でレバーホルダ１３の回動軸方向に圧縮された状態で保持されている。
【００２５】
トーションばね９は、コイル部９ａがトップカバー２０の内側に突設された位置決めボス２０ａに嵌め込まれる。このとき、トーションばね９の一対の先端部９ｂ，９ｃは、図３（ｂ）及び図４に示すように、保持部１３ａに保持された弾性部材１０のレバーホルダ１３の回動方向の両側部を挟み込んで弾性変形させた状態で保持部１３ａに掛止されて電気的に導通する。
【００２６】
また、トーションばね９の先端部９ｂ，９ｃは、トップカバー２０に形成された位置決めリブ２０ｂによって定められた初期位置にズームレバー６を保持しており、位置決めリブ２０ｂは、保持部１３ａの外径壁１３ｃ（図３（ａ）参照）と略同一幅とされている。また、ズームレバー６の初期位置においては、保持部１３ａ内の弾性部材１０は、トーションばね９の先端部９ｂ，９ｃに対する付勢力が均等になる位置に保持される。ここで、位置決めリブ２０ｂは、本発明の位置決め部の一例に相当する。
【００２７】
図２に戻って、フレキシブルプリント基板１４には、電源ボタン７、レリーズボタン５及びズームレバー６の操作信号を送る為のスイッチ（不図示）が実装されており、不図示のメインシャーシに組み付けられる。ばねホルダ１１は、トーションばね９に接触した状態でビス１２によりトップカバー２０に固定される。
【００２８】
ばねホルダ１１の先端部１１ａは、メインシャーシに接触しており、メインシャーシは、不図示のメイン基板に接続されている。これにより、ばねホルダ１１とメイン基板のグランドパターンとを電気的に導通させることができ、ズームレバー６、レリーズボタン５及びトーションばね９付近の静電気をばねホルダ１１を通じてメイン基板のグランドパターンに逃がすことが可能となる。
【００２９】
なお、本実施形態では、ズームレバー６を非導電性部材としているため、ズームレバー６の電気的導通を強化する必要はないが、ズームレバー６が導電性部材の場合には、弾性部材１０を導電性部材として、ズームレバー６の電気的導通を強化してもよい。
【００３０】
次に、図５〜図７を参照して、ズームレバー６及びレバーホルダ１３の回動動作とトーションばね９との関係について説明する。
【００３１】
図５はズームレバー６が初期位置にある状態を示す図、図６はズームレバー６がテレ位置にある状態を示す図、図７はズームレバー６がワイド位置にある状態を示す図である。
図５の状態からズームレバー６をテレ位置方向（図５の反時計回り方向）に回動操作すると、図６に示すように、レバーホルダ１３の保持部１３ａによってトーションばね９の先端部９ｂが開かれ、変形していた弾性部材１０が元の形状に戻る。この状態でズームレバー６から指を離しても、弾性部材１０がある為、トーションばね９の先端部９ｂおよび９ｃは、先に弾性部材１０に当接して弾性部材１０を弾性変形させることで勢いを弱めてから位置決めリブ２０ｂに当接する。
【００３２】
また、図５の状態からズームレバー６をテレ位置方向（図５の時計回り方向）に回動操作すると、図７に示すように、レバーホルダ１３の保持部１３ａによってトーションばね９の先端部９ｃが開かれ、変形していた弾性部材１０が元の形状に戻る。この状態でズームレバー６から指を離しても、弾性部材１０がある為、トーションばね９の先端部９ｃおよび９ｂは、先に弾性部材１０に当接して弾性部材１０を弾性変形させることで勢いを弱めてから位置決めリブ２０ｂに当接する。
【００３３】
以上説明したように、本実施形態では、ズームレバー６が回動位置から初期位置に戻る際に、トーションばね９の先端部９ｂ，９ｃが弾性部材１０に先に衝突して弾性部材１０を弾性変形させることで勢いを弱めてから位置決めリブ２０ｂに当接する。また、トーションばね９の先端部９ｂ，９ｃが位置決めリブ２０ｂに当接した状態では、弾性部材１０を弾性的に押圧して変形させるため、コイル部９ａが振動しにくくなる。これにより、ズームレバー６の回動操作によって発生するトーションばね９の先端部９ｂ，９ｃと位置決めリブ２０ｂとの衝突音やコイル部９ａの振動音を軽減することができる。
【００３４】
また、本実施形態では、弾性部材１０は、保持部１３ａに対してレバーホルダ１３の回動方向に相対移動が可能とされている。そのため、保持部１３ａ内で弾性部材１０がズームレバー６の初期位置に組み込まれていなくても、ズームレバー６をワイド側やテレ側へ数回回動操作することで、トーションばね９の先端部９ｂ，９ｃにより弾性部材１０を初期位置に移動させることができる。これにより、作業者による弾性部材１０の貼りズレ等の組み立て誤差をなくすことができる。
【００３５】
なお、本発明の構成は、上記実施形態に例示したものに限定されるものではなく、材質、形状、寸法、形態、数、配置箇所等は、本発明の要旨を逸脱しない範囲において適宜変更可能である。
【００３６】
例えば、上記実施形態では、デジタルカメラのズームレバーに適用した場合を説明したが、その他の機能の操作に用いる、中立位置から予め決められた回転角度の間で回動操作が可能な回動操作部材に適用しても構わない。例えば、記録媒体に記録された複数の画像のうちの１つを画像表示部に表示させる再生モードにおいて、表示させる画像を次の画像に変更する画像送り操作に用いる回動操作部材に適用しても構わない。
【００３７】
また、上述した画像送り操作のような、撮像装置以外の電子機器でも実行可能な機能の操作に用いる回動操作部材にも適用可能である。すなわち、中立位置から予め決められた回転角度の間で回動操作が可能な回動操作部材を有する電子機器であれば本発明を適用することができる。
【００３８】
また、トーションばね９のコイル部９ａは、トップカバー２０の内側に突設された位置決めボス２０ａに嵌め込まれるのではなく、デジタルカメラの機器本体に固定されたボスであれば、他の部材に設けられたボスに嵌め込まれる構成であってもよい。
【００３９】
また、ズームレバー６の初期位置をトップカバー２０に形成された位置決めリブ２０ｂで定めるのではなく、デジタルカメラの機器本体に固定されたボスであれば、他の部材に設けられた位置決めリブで定める構成であってもよい。
【符号の説明】
【００４０】
６  ズームレバー
９  トーションばね
９ａ  コイル部
９ｂ，９ｃ  一対の先端部
１０  弾性部材
１３  レバーホルダ
１３ａ  保持部
２０  トップカバー
２０ａ  位置決めボス
２０ｂ  位置決めリブ
【図１】
2012150157.tif 000003
【図２】
2012150157.tif 000004
【図３】
2012150157.tif 000005
【図４】
2012150157.tif 000006
【図５】
2012150157.tif 000007
【図６】
2012150157.tif 000008
【図７】
2012150157.tif 000009
【図８】
2012150157.tif 000010
【図９】
2012150157.tif 000011
【図１０】
2012150157.tif 000012